(57)【要約】  本発明は、洗濯液の投入制御方法を提供する。当該方法では、起動後に、洗濯機は収集した情報に基づいて洗濯液の第１投入量を算出するとともに、当該洗濯液の第１投入量を表示する。洗濯機は、洗濯液の第１投入量の変数を検出及び判断して洗濯液の第２投入量を生成し、洗浄プログラムを起動して、第１投入量又は第２投入量の洗濯液を投入する。本発明は更に、自動投入装置、コンピュータパネル及び表示パネルを含み、前記自動投入装置が、コンピュータパネルにより算出された洗濯液の投入量で洗濯液を投入し、表示パネルが、洗濯液の第１投入量及び／又は洗濯液の第２投入量をリアルタイム表示するために用いられる洗濯機を提供する。本発明で提供する洗濯液の投入制御方法及び洗濯機によれば、従来の洗濯液を自動で投入する洗濯機では洗濯液の投入量をユーザ自身で制御できないとの課題を解決可能となるため、ユーザ個々の洗濯ニーズが満たされる。【選択図】図１
2018514333.tif 000002
【特許請求の範囲】
【請求項１】
起動後に、洗濯機は収集した情報に基づいて洗濯液の第１投入量を算出するとともに、当該洗濯液の第１投入量を表示し、
洗濯機は、洗濯液の第１投入量の変数を検出及び判断して洗濯液の第２投入量を生成し、洗浄プログラムを起動して、第１投入量又は第２投入量の洗濯液を投入することを特徴とする洗濯液の投入制御方法。
【請求項２】
前記洗濯液の第１投入量は、収集された洗浄プログラム情報、及び／又は設定水位情報、及び／又は衣類の汚れ度合情報に基づき、洗濯機のコンピュータパネルによって算出されることを特徴とする請求項１記載の洗濯液の投入制御方法。
【請求項３】
前記衣類の汚れ度合は、洗濯機のコンピュータパネルが、衣類の種別情報、衣類の材質情報、衣類の重量情報及び衣類の汚れ種別情報を収集することで算出されることを特徴とする請求項２記載の洗濯液の投入制御方法。
【請求項４】
前記洗濯液の第１投入量の変数とは、ユーザにより設定される洗濯液投入量の増減のことであり、洗濯液の第２投入量は、洗濯機のコンピュータパネルが当該洗濯液投入量の増減を検出及び判断し、洗濯液の第１投入量を元に新たに算出することで得られることを特徴とする請求項１記載の洗濯液の投入制御方法。
【請求項５】
前記洗濯液の第１投入量の変数は、衣類の汚れ度合及び洗濯機に表示される洗濯液の第１投入量からユーザによって決定され、
洗濯液の第１投入量の変数がプラスの値の場合には、洗濯液の第１投入量を元に洗濯液の投入量を増やすことで洗濯液の第２投入量が生成され、
洗濯液の第１投入量の変数がマイナスの値の場合には、洗濯液の第１投入量を元に洗濯液の投入量を減らすことで洗濯液の第２投入量が生成されることを特徴とする請求項４記載の洗濯液の投入制御方法。
【請求項６】
前記洗濯液の第１投入量の変数が０の場合には、ユーザが洗濯液の投入量を増減しないことを表し、洗濯機のコンピュータパネルは洗濯液の第１投入量を変更することなく、前記洗濯液の第２投入量を洗濯液の第１投入量とすることを特徴とする請求項４記載の洗濯液の投入制御方法。
【請求項７】
前記洗濯液の第１投入量の変数は、洗濯機のコンピュータパネルが、収集された衣類の種別情報、衣類の材質情報、衣類の重量情報及び衣類の汚れ種別情報に基づいて、洗濯機に表示される洗濯液の第１投入量を組み合わせることで算出されることを特徴とする請求項１記載の洗濯液の投入制御方法。
【請求項８】
１）起動ステップと、
２）洗濯機が、ユーザによって設定された水位及び洗浄プログラム情報を収集し、洗濯液の第１投入量を算出して表示するステップと、
３）洗濯機が、ユーザにより設定された洗濯液の第１投入量の変数を受け付けたか否かを検出及び判断するステップと、
４）判断結果がＹｅｓの場合にはステップ５）に進み、判断結果がＮｏの場合には洗濯機が洗浄プログラムを起動させ、洗濯液の第１投入量で洗濯液を投入するステップと、
５）洗濯機が、洗濯液の第１投入量と洗濯液の第１投入量の変数に基づいて、洗濯液の第２投入量を新たに算出するステップと、
６）洗濯機が洗浄プログラムを起動し、洗濯液の第２投入量で洗濯液を投入するステップと、を含むことを特徴とする請求項１記載の洗濯液の投入制御方法。
【請求項９】
前記ステップ５）は、更に、
５１）洗濯機が洗濯液の第２投入量を表示するステップと、
５２）洗濯機が、第２投入量での投入がユーザにより確認されたとの情報を受け付けたか否かを判断するステップと、
５３）判断結果がＹｅｓの場合にはステップ６）に進み、判断結果がＮｏの場合には洗濯機が洗浄プログラムを起動させ、洗濯液の第１投入量で洗濯液を投入するステップと、を含むことを特徴とする請求項８記載の洗濯液の投入制御方法。
【請求項１０】
請求項１〜９のいずれかに記載の洗濯液の投入制御方法を用いる洗濯機において、
自動投入装置、コンピュータパネル及び表示パネルを含み、前記自動投入装置は、コンピュータパネルにより算出された洗濯液の投入量で投入し、表示パネルは、洗濯液の第１投入量及び／又は洗濯液の第２投入量をリアルタイム表示するために用いられることを特徴とする洗濯機。
【発明の詳細な説明】
【技術分野】
【０００１】
本発明は洗濯機の技術分野に関し、具体的に、洗濯液の投入制御方法及び洗濯機に関する。
【背景技術】
【０００２】
生活のレベルや質に対するユーザニーズの高まりに伴い、現在市販されている各種洗濯機には自動投入機能が備わっている。しかし、洗濯ごとの洗濯液投入量については、一般的にユーザが選択した水位や衣類の汚れ度合にしたがってコンピュータパネルにより決定され、ユーザは毎回の投入量が具体的にどの程度なのかを視覚的に確認することはできない。また、ユーザ自身で設定することもできず、洗濯機にデフォルト設定された洗濯液の投入量がニーズに合わないとの不満が生じることが多い。
【０００３】
特許文献１の発明の名称を洗濯洗剤の投入方法とする中国発明特許では、衣類の汚れ度合を選択するステップを備えることで、洗濯した衣類の汚れ度合に見合った重量の洗濯洗剤が投入される。これによれば、衣類の汚れ度合に応じた量を正確に投入可能となるほか、使用者にとっても操作がしやすい。また、手動で洗濯洗剤を投入及び追加するステップにより、使用者は所望の洗濯方式や洗剤用量を選択可能となるため、操作の利便性が高まる。
【０００４】
しかし、特許文献１には以下のような課題が存在する。
【０００５】
まず、特許文献１では洗濯洗剤の投入量が表示されない。そのため、ユーザは視覚的に洗濯洗剤の投入量を確認することができず、投入量がニーズに見合ったものか否かを直接判断することができない。このことから、ユーザは洗濯機の洗浄開始後でなければ洗濯洗剤の投入量がニーズに見合ったものか否かを知り得ない。
【０００６】
次に、特許文献１では、ユーザは洗濯機による洗浄開始後でなければ洗濯洗剤の追加要否を判断できない。また、洗浄プログラムを一旦停止する必要があるため、洗浄プログラムが邪魔されて洗浄効率に影響する。
【０００７】
最後に、特許文献１では、手動で洗濯洗剤を追加せねばならず、ユーザエクスペリエンスに劣る。
【０００８】
これらに鑑みて、本発明を提案する。
【先行技術文献】
【特許文献】
【０００９】
【特許文献１】中国特許出願第２０１０１０２２１０５７.６号
【発明の概要】
【発明が解決しようとする課題】
【００１０】
上記の課題を解決すべく、本発明は洗濯液の投入制御方法を提供し、具体的には、以下の技術方案を採用する。
【課題を解決するための手段】
【００１１】
洗濯液の投入制御方法であって、起動後に、洗濯機は収集した情報に基づいて洗濯液の第１投入量を算出するとともに、当該洗濯液の第１投入量を表示し、洗濯機は、洗濯液の第１投入量の変数を検出及び判断して洗濯液の第２投入量を生成し、洗浄プログラムを起動して、第１投入量又は第２投入量の洗濯液を投入する。
【００１２】
更に、前記洗濯液の第１投入量は、収集された洗浄プログラム情報、及び／又は設定水位情報、及び／又は衣類の汚れ度合情報に基づき、洗濯機のコンピュータパネルによって算出される。
【００１３】
更に、前記衣類の汚れ度合は、洗濯機のコンピュータパネルが、衣類の種別情報、衣類の材質情報、衣類の重量情報及び衣類の汚れ種別情報を収集することで算出される。
【００１４】
更に、前記洗濯液の第１投入量の変数とは、ユーザにより設定される洗濯液投入量の増減のことであり、洗濯液の第２投入量は、洗濯機のコンピュータパネルが当該洗濯液投入量の増減を検出及び判断し、洗濯液の第１投入量を元に新たに算出することで得られる。
【００１５】
更に、前記洗濯液の第１投入量の変数は、衣類の汚れ度合及び洗濯機に表示される洗濯液の第１投入量からユーザによって決定され、洗濯液の第１投入量の変数がプラスの値の場合には、洗濯液の第１投入量を元に洗濯液の投入量を増やすことで洗濯液の第２投入量が生成され、洗濯液の第１投入量の変数がマイナスの値の場合には、洗濯液の第１投入量を元に洗濯液の投入量を減らすことで洗濯液の第２投入量が生成される。
【００１６】
更に、前記洗濯液の第１投入量の変数が０の場合には、ユーザが洗濯液の投入量を増減しないことを表し、洗濯機のコンピュータパネルは洗濯液の第１投入量を変更することなく、前記洗濯液の第２投入量を洗濯液の第１投入量とする。
【００１７】
更に、前記洗濯液の第１投入量の変数は、洗濯機のコンピュータパネルが、収集された衣類の種別情報、衣類の材質情報、衣類の重量情報及び衣類の汚れ種別情報に基づいて、洗濯機に表示される洗濯液の第１投入量を組み合わせることで算出される。
【００１８】
具体的に、本発明で記載する洗濯液の投入制御方法は次のステップを含む。
１）起動する。
２）洗濯機は、ユーザによって設定された水位及び洗浄プログラム情報を収集し、洗濯液の第１投入量を算出して表示する。
３）洗濯機は、ユーザにより設定された洗濯液の第１投入量の変数を受け付けたか否かを検出及び判断する。
４）判断結果がＹｅｓの場合にはステップ５）に進む。一方、判断結果がＮｏの場合、洗濯機は洗浄プログラムを起動させ、洗濯液の第１投入量で洗濯液を投入する。
５）洗濯機は、洗濯液の第１投入量と洗濯液の第１投入量の変数に基づいて、洗濯液の第２投入量を新たに算出する。
６）洗濯機は洗浄プログラムを起動し、洗濯液の第２投入量で洗濯液を投入する。
【００１９】
更に、前記ステップ５）は、更に次のステップを含む。
５１）洗濯機は、洗濯液の第２投入量を表示する。
５２）洗濯機は、第２投入量での投入がユーザにより確認されたとの情報を受け付けたか否かを判断する。
５３）判断結果がＹｅｓの場合にはステップ６）に進む。一方、判断結果がＮｏの場合、洗濯機は洗浄プログラムを起動させ、洗濯液の第１投入量で洗濯液を投入する。
【００２０】
本発明は更に、上述した洗濯液の投入制御方法を用いる洗濯機を提供する。当該洗濯機は、自動投入装置、コンピュータパネル及び表示パネルを含み、前記自動投入装置は、コンピュータパネルにより算出された洗濯液の投入量で投入し、表示パネルは、洗濯液の第１投入量及び／又は洗濯液の第２投入量をリアルタイム表示するために用いられる。
【００２１】
本発明における洗濯液の投入制御方法によれば、まず、洗濯機はユーザの設定情報に基づいて洗濯液の第１投入量を算出し、当該投入量をユーザに表示する。ユーザは、表示された洗濯液の第１投入量に基づいて視覚的に判断し、洗濯液の第１投入量で洗浄ニーズが満たされると考えれば、そのまま洗浄プログラムを起動する。すると、洗濯機は洗濯液の第１投入量で洗濯液を投入する。一方、ユーザは、洗濯液の第１投入量では洗浄ニーズを満たせないと考えた場合、第１投入量を変更する。第１投入量の変更は、洗濯液の第１投入量について変数を設定することで行われる。洗濯機はユーザにより設定された洗濯液の第１投入量の変数を受け付け、洗濯液の第１投入量を組み合わせることで、洗濯液の第２投入量を新たに算出する。そして、ユーザの確認が得られると、洗濯機は洗浄プログラムを起動して、洗濯液の第２投入量で洗濯液を投入する。
【発明の効果】
【００２２】
以上より、本発明における洗濯液の投入制御方法には次のような利点がある。
【００２３】
１）本発明における洗濯液の投入制御方法では、ユーザがデフォルトの投入量で投入するか、必要に応じて洗濯液の投入量を変更するかを選択可能なため、個々の洗濯ニーズに対応可能となる。
【００２４】
２）本発明における洗濯液の投入制御方法では、洗濯液の第１投入量を視覚的にユーザに表示できるため、ユーザは洗濯液を増加するか否かの判断を洗浄状況に基づいて下す必要がない。即ち、本発明はユーザに対し判断のための視覚的根拠を提示可能であり、簡単且つ直截的である。
【００２５】
３）本発明における洗濯液の投入制御方法では、ユーザが洗濯液の投入量を決定してから洗浄プログラムを開始し、決定した洗濯液の投入量で洗濯液が投入される。よって、洗浄プログラムが中断されることがなく、洗浄効率が向上する。
【００２６】
本発明の洗濯機は、ユーザに対し直接的な判断の根拠を提示すべく、洗濯液の投入量を視覚的にユーザに表示可能である。また、ユーザにより設定された洗濯液の投入量に基づいて正確な投入が可能なことから、ユーザの洗浄ニーズが満たされる。
【００２７】
本発明で提供する洗濯液の投入制御方法及び洗濯機によれば、従来の洗濯液を自動で投入する洗濯機では洗濯液の投入量をユーザ自身で制御できないとの課題を解決可能となるため、ユーザ個々の洗濯ニーズが満たされる。
【図面の簡単な説明】
【００２８】
【図１】図１は、本発明における洗濯液の投入制御方法のフローチャートである。
【図２】図２は、本発明における洗濯機の構造の接続を示す図である。
【発明を実施するための形態】
【００２９】
以下に、図面を組み合わせて本発明における洗濯液の投入制御方法及び洗濯機につき詳述する。
【００３０】
本発明における洗濯液の投入制御方法では、起動後に、洗濯機は収集した情報に基づいて洗濯液の第１投入量を算出し、当該洗濯液の第１投入量を表示する。また、洗濯機は、洗濯液の第１投入量の変数を検出及び判断し、洗濯液の第２投入量を生成する。そして、洗浄プログラムが起動されると、洗濯機は第１投入量又は第２投入量の洗濯液を投入する。
【００３１】
本発明における洗濯液の投入制御方法では、まず、洗濯機は収集した情報に基づいて洗濯液の第１投入量を算出し、当該洗濯液の第１投入量を表示する。これによれば、ユーザは洗濯機のデフォルトの洗濯液投入量、即ち洗濯液の第１投入量を直接取得可能となる。ユーザは、当該洗濯液の第１投入量では洗濯ニーズを満たせないと考えた場合、洗濯液の第１投入量を変更し、洗濯液の第２投入量を生成可能である。すると、洗濯機による洗浄プログラム起動後に、第２投入量で洗濯液が投入される。また、ユーザは、当該洗濯液の第１投入量で洗浄ニーズを満たせると考えた場合には、洗濯液の第１投入量を変更することがない。この場合、洗濯機による洗浄プログラムの起動後に、洗濯機におけるデフォルトの第１投入量で洗濯液が投入される。
【００３２】
本発明における洗濯液の投入制御方法では、ユーザがデフォルトの洗濯液投入量で投入するか、必要に応じて洗濯液の投入量を変更するかを選択可能なため、個々の洗濯ニーズに対応可能となる。
【００３３】
このほか、本発明における洗濯液の投入制御方法では、洗濯機により算出された洗濯液の投入量がリアルタイムで表示されるため、ユーザは視覚的に判断の根拠を参照可能となる。
【００３４】
本発明で記載する洗濯液の第１投入量は、従来の自動投入機能を備えた洗濯機におけるデフォルトの投入量に相当する。そのため、本発明における洗濯液の第１投入量は、収集された洗浄プログラム情報、及び／又は設定水位情報、及び／又は衣類の汚れ度合情報に基づき、洗濯機のコンピュータパネルによって算出可能とされる。このうち、前記洗浄プログラム情報及び設定水位情報は、一般的にユーザにより設定される。洗濯液の第１投入給量は、洗濯機がユーザにより設定された情報を元に、内部のデータベースを組み合わせることで自動的に算出される。そのため、より科学的な理論上の根拠がユーザに対し提示される。
【００３５】
また、衣類の汚れ度合情報はユーザにより設定してもよいし、洗濯機のコンピュータパネルが、衣類の種別情報、衣類の材質情報、衣類の重量情報及び衣類の汚れ種別情報を収集することで算出してもよい。このうち、衣類の種別、衣類の材質、衣類の重量及び衣類の汚れ種別といった情報は、ユーザ自身で洗濯機のコンピュータパネルに入力してもよいし、洗濯機内に相応の検出センサを設け、データ収集の後に洗濯機のコンピュータパネルに送信してもよい。
【００３６】
本発明では、衣類の汚れ度合の特定に、衣類の種別、衣類の材質、衣類の重量及び衣類の汚れ種別といった多くの要素が関係する。そこで、これらを統合すべく、洗濯機のコンピュータパネル内には汚れ度合に関する総合判定データベースを設ける必要がある。汚れ度合の総合判定データベースでは、衣類の種別、衣類の材質、衣類の重量及び衣類の汚れ種別といったパラメータに対し、それぞれ異なる汚れ度合値が対応付けられており、すべての汚れ度合を重ね合わせることで総合的な汚れ度合値が取得されるようになっている。
【００３７】
このように、本発明では衣類の汚れ度合というパラメータを取り入れているため、洗濯機が洗濯液の第１投入量を算出する際に、より科学的にユーザの期待する値に近付けることが可能となる。そのため、ユーザによる洗濯液の第１投入量の変更頻度が減少し、ユーザの使用感が向上する。
【００３８】
本発明の洗濯液の投入制御方法において、洗濯液の第１投入量の変数とは、ユーザにより設定される洗濯液投入量の増減のことをいう。洗濯液の第２投入量は、洗濯機のコンピュータパネルが当該洗濯液投入量の増減を検出及び判断し、洗濯液の第１投入量を元に新たに算出することで得られる。
【００３９】
本発明における洗濯液の第１投入量の変数は、プラスの値でもマイナスの値でもよい。プラスの値の場合には、洗濯液の第１投入量を元に洗濯液を増加させ、マイナスの値の場合には、洗濯液の第１投入量を元に洗濯液を減少させる必要がある。これは、洗濯液の第１投入量の算出方式が固定的であるのに対し、実際の使用状況がたいへん複雑であることに起因する。仮に、洗濯液の第１投入量の算出に洗浄プログラム情報及び／又は設定水位情報のみが関係している場合、ユーザの洗浄ニーズに十分対応できない恐れがある。例えば、同じ水位と洗浄プログラムであっても、一般的には冬物衣類のほうが夏物衣類よりも多くの洗濯液を必要とする。しかし、洗濯機は季節の変化に応じて洗濯液の第１投入量の算出方法を変更することはないため、ユーザは、夏物衣類の洗濯時には洗濯液をある程度減らし、冬物衣類の洗濯時には洗濯液をある程度増やすことがある。
【００４０】
そこで、本発明における洗濯液の投入制御方法では、ユーザの洗濯ニーズを満たすべく、実情に即して洗濯液の第１投入量を元に洗濯液を増やせるだけでなく、洗濯液を減らせるようにもしている。
【００４１】
上記から明らかなように、本発明における洗濯液の第１投入量の変数は、ほとんどが衣類の汚れ度合に基づき決定される。そのため、本発明における洗濯液の第１投入量の変数は、衣類の汚れ度合及び洗濯機に表示される洗濯液の第１投入量からユーザによって決定される。
【００４２】
洗濯液の第１投入量の変数がプラスの値の場合には、洗濯液の第１投入量を元に洗濯液の投入量を増やすことで、洗濯液の第２投入量が生成される。
【００４３】
一方、洗濯液の第１投入量の変数がマイナスの値の場合には、洗濯液の第１投入量を元に洗濯液の投入量を減らすことで、洗濯液の第２投入量が生成される。
【００４４】
このときの衣類の汚れ度合はユーザ自らが決定する。また、洗濯液の第１投入量の変数値についても、ユーザが自らの経験に基づいて、表示される洗濯液の第１投入量の値を組み合わせて決定する。これによれば、ユーザが心の中で求めていた洗濯液の投入量が得られるため、ユーザ個々の洗濯ニーズが満たされる。
【００４５】
ユーザの洗濯ニーズは、本発明における洗濯液の第１投入量のままでも満たされる場合がある。この場合には洗濯液の第１投入量を変更する必要がないため、このときの前記洗濯液の第１投入量の変数は０となり、ユーザは洗濯液の投入量を増減させることがない。よって、洗濯機のコンピュータパネルは洗濯液の第１投入量を変更することなく、前記洗濯液の第２投入量は洗濯液の第１投入量とされる。
【００４６】
本発明におけるその他の好ましい実施形態として、本発明における前記洗濯液の第１投入量の変数は、洗濯機のコンピュータパネルが、収集された衣類の種別情報、衣類の材質情報、衣類の重量情報及び衣類の汚れ種別情報に基づいて、洗濯機に表示される洗濯液の第１投入量を組み合わせることで算出してもよい。
【００４７】
このような方式は、表示された洗濯液の第１投入量にユーザが不満を感じているが、どれだけの洗濯液投入量を増減すればよいのかを特定できない場合に適用される。この場合、衣類の種別、衣類の材質、衣類の重量及び衣類の汚れ種別といった情報を洗濯機のコンピュータパネルに入力しさえすれば、洗濯機のコンピュータパネルはこれらパラメータに基づいて、適切な洗濯液の投入量、即ち洗濯液の第２投入量を決定可能である。ここで、洗濯液の第１投入量の変数は、第１投入量と第２投入量の差に等しい。なお、このような方式による洗濯液の第１投入量の算出に衣類の汚れ度合は関係せず、洗浄プログラム情報及び／又は設定水位情報のみが関係する。この方式であれば、ユーザの洗浄ニーズに応えられるだけでなく、洗濯機の動作効率を大幅に高めることが可能となり、ユーザが衣類の種別、衣類の材質、衣類の重量及び衣類の汚れ種別といった情報を繰り返し入力する手間が省かれる。
【００４８】
上述したように、本発明における洗濯液の投入制御方法には次のような利点がある。
【００４９】
１）本発明における洗濯液の投入制御方法では、ユーザがデフォルトの洗濯液投入量で投入するか、必要に応じて洗濯液の投入量を変更するかを選択可能なため、個々の洗濯ニーズに対応可能となる。
【００５０】
２）本発明における洗濯液の投入制御方法では、洗濯液の第１投入量を視覚的にユーザに表示できるため、ユーザは洗濯液を増加するか否かの判断を洗浄状況に基づいて下す必要がない。即ち、本発明はユーザに対し判断のための視覚的根拠を提示可能であり、簡単且つ直截的である。
【００５１】
３）本発明における洗濯液の投入制御方法では、ユーザが洗濯液の投入量を決定してから洗浄プログラムを開始し、決定した洗濯液の投入量で洗濯液が投入される。よって、洗浄プログラムが中断されることがなく、洗浄効率が向上する。
【００５２】
実施例１
図１に示すように、本実施例における洗濯液の投入制御方法は、具体的に以下のステップを含む。
１）起動する。
２）洗濯機は、ユーザによって設定された水位及び洗浄プログラム情報を収集し、洗濯液の第１投入量を算出して表示する。
３）洗濯機は、ユーザにより設定された洗濯液の第１投入量の変数を受け付けたか否かを検出及び判断する。
４）判断結果がＹｅｓの場合にはステップ５）に進む。一方、判断結果がＮｏの場合、洗濯機は洗浄プログラムを起動させ、洗濯液の第１投入量で洗濯液を投入する。
５）洗濯機は、洗濯液の第１投入量と洗濯液の第１投入量の変数に基づいて、洗濯液の第２投入量を新たに算出する。
６）洗濯機は洗浄プログラムを起動し、洗濯液の第２投入量で洗濯液を投入する。
【００５３】
本実施例における洗濯液の投入制御方法では、ユーザがデフォルトの洗濯液投入量で投入するか、必要に応じて洗濯液の投入量を変更するかを選択可能なため、個々の洗濯ニーズに対応可能となる。
【００５４】
本実施例における洗濯液の投入制御方法では、洗濯液の第１投入量を視覚的にユーザに表示可能である。そのため、ユーザは洗濯液を増加するか否かの判断を洗浄状況に応じて下す必要がなく、より簡単且つ視覚的となる。
【００５５】
また、前記ステップ５）は更に以下を含む。
５１）洗濯機は、洗濯液の第２投入量を表示する。
５２）洗濯機は、第２投入量での投入がユーザにより確認されたとの情報を受け付けたか否かを判断する。
５３）判断結果がＹｅｓの場合にはステップ６）に進む。一方、判断結果がＮｏの場合、洗濯機は洗浄プログラムを起動させ、洗濯液の第１投入量で洗濯液を投入する。
【００５６】
更に、本実施例における洗濯液の投入制御方法では、ユーザの参考となるよう、洗濯液の第２投入量をリアルタイムで表示する。ユーザにより表示が確認された場合には、洗濯液の第２投入量で洗浄ニーズを満たすことが可能である。また、ユーザにより確認されなかった場合には、洗濯液の投入量がどのくらいであれば適切なのかをユーザ自身では特定不可能なため、洗濯機のデフォルト投入量が提案される。即ち、洗濯液の第１投入量を最終的な洗濯液の投入量とする。
【００５７】
実施例２
図２に示すように、本実施例の洗濯機は本発明で述べた洗濯液の投入制御方法を採用する。また、本洗濯機には、自動投入装置、コンピュータパネル及び表示パネルが含まれる。前記自動投入装置は、コンピュータパネルにより算出された洗濯液の投入量で投入し、表示パネルは、洗濯液の第１投入量及び／又は洗濯液の第２投入量をリアルタイム表示するために用いられる。
【００５８】
このほか、本実施例における洗濯機の自動投入装置には流量センサが内蔵されるため、投入済みの洗濯液量をリアルタイムで洗濯機のコンピュータパネルに転送することで、洗濯液の正確な投入を実現可能となる。
【００５９】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上述した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な補正、同等の変形及び補足は、いずれも本発明の方案の範囲内とされる。
【図１】
2018514333.tif 000003
【図２】
2018514333.tif 000004
【国際調査報告】
2018514333.tif 000005
2018514333.tif 000006
2018514333.tif 000007
2018514333.tif 000008